(57)【特許請求の範囲】
【請求項１】
被測定体に接触配置される第１乃至第４の電極と、
前記第１の電極及び前記第２の電極により被測定体に電流を印加する、定電流発生回路を含む印加部と、
前記第３の電極及び前記第４の電極により被測定体から電圧を検出する検出部とを備え、
前記検出部が検出した電圧から被測定体のインピーダンスを求めて被測定体の体脂肪量を算出する体脂肪測定装置において、
前記第１及び第２の電極にそれぞれ接続される定電流発生回路の基準電位端子側と出力端子側とを、切替える切替手段と、
前記切替手段によって電流の経路が切替えられた時、前記検出部により検出される切替前電圧と切替後電圧の差電圧を検出する検出手段と、
前記差電圧と所定の電圧とを比較する比較手段とを備え、
前記比較手段による比較結果に基づいてインピーダンスを求めて体脂肪量を算出することを特徴とする体脂肪測定装置。
【請求項２】
測定開始から所定の時間が経過したか否かを計測する計測手段と、
算出された体脂肪量を報知する報知手段とをさらに備え、
前記計測手段により計測された時間が所定の時間を経過しても前記差電圧が前記所定の電圧値より大きいとき、前記報知手段は、測定異常であることを報知することを特徴とする請求項１に記載の体脂肪測定装置。
【請求項３】
被測定体に接触配置される第１乃至第４の電極と、
前記第１の電極及び前記第２の電極により被測定体に電流を印加する、定電流発生回路を含む印加部と、
前記第３の電極及び前記第４の電極により被測定体から電圧を検出する検出部とを備え、
前記検出部が検出した電圧から被測定体のインピーダンスを求めて被測定体の体脂肪量を算出する体脂肪測定装置において、
前記第１及び第２の電極にそれぞれ接続される定電流発生回路の基準電位端子側と出力端子側とを、切替える切替手段と、
前記切替手段によって電圧の印加方向が切替えられたとき、前記検出部が検出した前記切替前電圧と切替後電圧との平均値を求める平均算出手段と、を備え、
前記平均算出手段が求めた平均値に基づいてインピーダンスを求めて体脂肪量を算出することを特徴とする体脂肪測定装置。
【請求項４】
前記切替手段は、前記印加部側に取り付けられていることを特徴とする請求項１乃至請求項３のいずれかに記載の体脂肪測定装置。
【請求項５】
前記切替手段は、前記検出部側に取り付けられていることを特徴とする請求項１乃至請求項３のいずれかに記載の体脂肪測定装置。
【発明の詳細な説明】
【技術分野】
【０００１】
本発明は、体脂肪測定装置に関する。
【背景技術】
【０００２】
従来の体脂肪測定装置としては、例えば、特許文献１に示されるように、人体腹部のインピーダンスを測定して、体脂肪と体脂肪以外の組織との電気特性の違いに基づいて体脂肪量を求める技術が知られている。特許文献１に示される体脂肪測定装置は、被測定者の腹部に複数の電流路形成電極と計測用電極を取付け、電流路形成電極に交流電流を流して電流路を形成する。計測用電極は、形成された電流路のおけるインピーダンスを測定する。体脂肪測定装置は、測定したインピーダンスに基づいて体脂肪量を計測する。図８に、従来の腹部インピーダンス測定装置の構成を示す。本装置は、定電流発生回路に接続された一対の電流印加電極と、電圧測定回路に接続された一対の電圧測定電極とを備え、腹部（図示は断面）の皮膚に対して、各電極を接触させ、腹部に電流を流してその時の電圧を検出し、もって、腹部インピーダンスを計測するものである。ここに、電極と皮膚との接触による接触抵抗の影響を除去するために、一般に四端子法によりインピーダンス測定する。
【０００３】
しかしながら、特許文献１や図８に示される技術においては、電極と被測定者との接触抵抗が大きいとき、体脂肪測定装置は体脂肪量を正確に計測できないことがあった。電極と腹部との接触抵抗は、被測定者の皮膚状態や電極の腹部への取付け状態によって変化することが知られている。そこで、体脂肪測定装置が正確に体脂肪量を測定できないとき、被測定者は、皮膚の状態を確認し、再度、複数の電極を腹部に取り付けた後、改めて体脂肪量を測定する必要があった。このため、被測定者の皮膚状態や電極の取付不良によって、いずれかの電極と腹部との接触抵抗が大きくなったとき、被測定者は、全ての電極と取り外して、改めて体脂肪量を計測しなおさなければならず、容易に信頼性の高い体脂肪量を知ることができなかった。
【０００４】
【特許文献１】特開平２００１−１７８６９７号公報
【発明の開示】
【発明が解決しようとする課題】
【０００５】
本発明は、上記従来例の問題を解決するためになされたものであり、被測定者が自身の皮膚状態を意識することなく電極を取り付けることができ、いずれかの電極に大きな接触抵抗が生じた場合であっても、改めて体脂肪量の測定をしなおすことなく信頼性の高い体脂肪量を測定できる体脂肪測定装置を提供することを目的とする。
【課題を解決するための手段】
【０００６】
上記目的を達成するために請求項１の発明は、被測定体に接触配置される第１乃至第４の電極と、前記第１の電極及び前記第２の電極により被測定体に電流を印加する、定電流発生回路を含む印加部と、前記第３の電極及び前記第４の電極により被測定体から電圧を検出する検出部とを備え、前記検出部が検出した電圧から被測定体のインピーダンスを求めて被測定体の体脂肪量を算出する体脂肪測定装置において、前記第１及び第２の電極にそれぞれ接続される定電流発生回路の基準電位端子側と出力端子側とを、切替える切替手段と、前記切替手段によって電流の経路が切替えられた時、前記検出部により検出される切替前電圧と切替後電圧の差電圧を検出する検出手段と、前記差電圧と所定の電圧とを比較する比較手段とを備え、前記比較手段による比較結果に基づいてインピーダンスを求めて体脂肪量を算出するものである。
【０００７】
また、請求項２の発明は、請求項１の体脂肪測定装置において、測定開始から所定の時間が経過したか否かを計測する計測手段と、算出された体脂肪量を報知する報知手段とをさらに備え、計測手段により計測された時間が所定の時間を経過しても差電圧が所定の電圧値より大きいとき、報知手段は、測定異常であることを報知するようにしたものである。
【０００８】
また、請求項３の発明は、被測定体に接触配置される第１乃至第４の電極と、前記第１の電極及び前記第２の電極により被測定体に電流を印加する、定電流発生回路を含む印加部と、前記第３の電極及び前記第４の電極により被測定体から電圧を検出する検出部とを備え、前記検出部が検出した電圧から被測定体のインピーダンスを求めて被測定体の体脂肪量を算出する体脂肪測定装置において、前記第１及び第２の電極にそれぞれ接続される定電流発生回路の基準電位端子側と出力端子側とを、切替える切替手段と、前記切替手段によって電圧の印加方向が切替えられたとき、前記検出部が検出した前記切替前電圧と切替後電圧との平均値を求める平均算出手段と、を備え、前記平均算出手段が求めた平均値に基づいてインピーダンスを求めて体脂肪量を算出するものである。
【０００９】
また、請求項４の発明は、請求項１乃至請求項３のいずれかの体脂肪測定装置において、切替手段は、印加部側に取り付けられているようにしたものである。
【００１０】
また、請求項５の発明は、請求項１乃至請求項３のいずれかの体脂肪測定装置において、切替手段は、検出部側に取り付けられているようにしたものである。
【発明の効果】
【００１１】
請求項１の発明によれば、体脂肪測定装置は、第１乃至第４の電極のいずれかが正しく被測定体２に接触配置されていない場合であっても、信頼性の高い体脂肪量を測定することができる。
【００１２】
請求項２の発明によれば、被測定者は、報知手段によって測定異常であることが報知されるため、容易に第１乃至第４の電極が被測定体２に正しく接触配置されていないことを知ることができる。
【００１３】
請求項３の発明によれば、体脂肪測定装置は、切替前電圧と切替後電圧との平均値に基づいてインピーダンスを求めることにより、信頼性の高い体脂肪量を測定することができる。
【００１４】
請求項４の発明によれば、体脂肪測定装置は、切替手段が印加部側に取り付けられることにより、信頼性の高い体脂肪量を測定することができる。
【００１５】
請求項５の発明によれば、体脂肪測定装置は、切替手段が検出部側に取り付けられることにより、検出部側のオフセット電圧による誤差を除去することができるため、信頼性の高い体脂肪量を測定することができる。
【発明を実施するための最良の形態】
【００１６】
以下、本発明の第１の実施形態に係る体脂肪測定装置について、図１乃至図４を参照して説明する。図１は、本発明の第１の実施形態に係る体脂肪測定装置の回路構成を示す。体脂肪測定装置１は、人体の腹部や太腿などの被測定体２の周囲に接触配置される第１の電極Ｅ１乃至第４の電極Ｅ４と、定電流発生回路３を含み第１の電極Ｅ１及び第２の電極Ｅ２に交流電圧を印加する印加部４と、第３の電極Ｅ３及び第４の電極Ｅ４から電圧を検出する検出部としての差動増幅回路５とを備える。差動増幅回路５には差動増幅回路５が増幅した電圧を平滑する平滑回路６が接続され、平滑回路６には体脂肪量を算出する演算回路７が接続され、演算回路７には体脂肪量を計測者に報知する報知手段としての報知回路８が接続される。さらに、体脂肪測定装置１は、印加部４と第１の電極Ｅ１及び第２の電極Ｅ２の間には、印加部４の電圧の印加方向を切替える切替手段９を備える。切替手段９は、印加部４による体脂肪測定装置１の回路への電圧印加部側に取り付けられている。
【００１７】
定電流回路３を含む印加部４は、オペアンプ回路を有するとともに、出力側ラインＡと基準電位側ラインＢとを有しており、出力側ラインＡからは基準電位に対して交流が出力される。また、第１の電極Ｅ１乃至第２の電極Ｅ２がそれぞれ接続された接触抵抗Ｚ１乃至接触抵抗Ｚ４間のインピーダンスＺ５を含む回路は、被測定体２を等価回路的に表したものである。
【００１８】
演算回路７は、所定の電圧と切替手段９によって電流の経路が切替えられる前後の電圧の差である差電圧とを比較する比較手段１０と、切替手段９によって電圧の印加方向が切替えられる前後の電圧の平均値を算出する平均算出手段１２とを備える。演算回路７には、体脂肪測定装置１の体脂肪測定時間を計測する計測手段１１が接続される。第１の電極Ｅ１乃至第４の電極Ｅ４が被測定体２に接触配置されとき、各電極に発生する接触抵抗をそれぞれ接触抵抗Ｚ１乃至接触抵抗Ｚ４とし、被測定体２の内部に発生するインピーダンスをインピーダンスＺ５とする。差動増幅回路５は、電圧Ｖ１´及び電圧Ｖ２´が入力されると電圧Ｖ３を出力する。平滑回路６は、電圧Ｖ３が入力されると電圧Ｖ４を出力する。
【００１９】
体脂肪測定装置１が測定を開始すると、定電流発生回路３は交流電流を発生させ、印加部４は第１の電極Ｅ１及び第２の電極Ｅ２に電圧を印加する。このとき、切替手段９は、第１の電流経路として印加部４の出力側ラインＡを第１の電極Ｅ１に接続し、印加部４の基準電位側ラインＢを第２の電極Ｅ２に接続する。このとき、差動増幅回路５には、電圧Ｖ１´と電圧Ｖ２´が入力されるものとする。その後、切替手段９が切替動作して第２の電流経路として印加部４の基準電位側ラインＢを第１の電極Ｅ１に接続し、印加部４の出力側ラインＡを第２の電極Ｅ２に接続する。このとき、差動増幅回路５に入力される電圧Ｖ１´、電圧Ｖ２´は前記とは異なったものとなる。なお、定電流発生回路３が発生させる交流電流は、被測定体２への影響を考慮して、例えば、数百μＡである。また、被測定体２に発生するインピーダンスＺ５は数Ωから数十Ωであるため、差動増幅回路５に入力される電圧Ｖ１´及び電圧Ｖ２´は、例えば、数百μＶから数百ｍＶである。
【００２０】
平滑回路６は、差動増幅回路５が出力した電圧Ｖ３を平滑し、電圧Ｖ４として演算回路７に出力する。ここで、第１の電流経路における電圧Ｖ４を電圧Ｖ４１（後述）とし、第２の電流経路における電圧Ｖ４を電圧Ｖ４２（後述）とする。演算回路７は、平滑回路６が出力した電圧Ｖ４１と電圧Ｖ４２との差の絶対値を差電圧ΔＶ４として求める。比較手段１０は、差電圧ΔＶ４が所定の電圧値ΔＶより小さいか否かを判断する。演算回路７は、比較手段１０が所定の電圧値ΔＶより差電圧ΔＶ４のほうが小さいと判断したとき、電圧Ｖ４１か電圧Ｖ４２のいずれかに基づいて被測定体２のインピーダンスＺ５を求め、インピーダンスＺ５から体脂肪量を算出する。報知回路８は、演算回路７が算出した体脂肪量を、例えば、数値として表示画面に表示して被測定者や計測者に報知する。
【００２１】
なお、第１の電極Ｅ１乃至第４の電極Ｅ４は、体脂肪測定装置１が正しく体脂肪量を測定するために、接触抵抗Ｚが大きくならない状態で被測定体２に接触配置されることが望ましい。第１の電極Ｅ１乃至第４の電極Ｅ４に大きな接触抵抗Ｚが発生すると、演算回路７は、被測定体２の正確なインピーダンスＺ５を求めることができないため、正しい体脂肪量を算出できなくなる。ここで、接触抵抗Ｚが大きくなる原因としては、第１の電極Ｅ１乃至第４の電極Ｅ４が被測定体２に全く接触していない、又はほとんど接触してしない場合か、被測定体２の表面が過度に乾燥している場合が考えられる。
【００２２】
図２は、本発明の第１の実施形態に係る体脂肪測定装置１の動作フローを示す。体脂肪測定装置１は、第１の電極Ｅ１乃至第４の電極Ｅ４が被測定体２に接触配置され電源が投入されると体脂肪量の測定を開始する（Ｓ１０１）。測定が開始されると、切替手段９は、まず、第１の電流経路となるように印加部４の出力側ラインＡを第１の電極Ｅ１に接続し、印加部４の基準電位側ラインＢを第２の電極Ｅ２に接続する。印加部４は、定電流発生回路３が交流電流を発生させることに応じて、第１の電極Ｅ１及び第２の電極Ｅ２に電圧を印加する（Ｓ１０２）。差動増幅回路５に第１の電流経路における電圧Ｖ１´及び電圧Ｖ２´が入力される。平滑回路６は、第１の電流経路における電圧Ｖ３に基づいて電圧Ｖ４１を演算回路７に出力する（Ｓ１０３）。
【００２３】
適宜の回路動作に必要な時間の後、切替手段９は、第２の電流経路となるように、印加部４の基準電位側ラインＢを第１の電極Ｅ１に接続し、印加部４の出力側ラインＡを第２の電極Ｅ２に接続することにより電圧の印加方向を切替える。印加部４は、第１の電極Ｅ１及び第２の電極Ｅ２に電圧を印加する（Ｓ１０４）。差動増幅回路５に第２の電流経路における電圧Ｖ１´及び電圧Ｖ２´が入力される。平滑回路６は、第２の電流経路における電圧Ｖ３に基づいて電圧Ｖ４２を演算回路７に出力する（Ｓ１０５）。
【００２４】
演算回路７は、平滑回路６が出力した電圧Ｖ４１と電圧Ｖ４２との差の絶対値を差電圧ΔＶ４として求める（Ｓ１０６）。比較手段１０は、差電圧ΔＶ４が所定の電圧値ΔＶより小さいか否かを判断する（Ｓ１０７）。比較手段１０において、差電圧ΔＶ４が所定の電圧値ΔＶより小さくないと判断されたとき（Ｓ１０７でＮｏ）、第１の電極Ｅ１乃至第４の電極Ｅ４のいずれかが正常に被測定体２に接触していないものとして、切替手段９は、再度、第１の電流経路となるように印加部４の出力側ラインＡを第１の電極Ｅ１に接続し、印加部４の反転入力側ラインＢを第２の電極Ｅ２に接続する。体脂肪測定装置１は、ステップＳ１０３からステップＳ１０９の動作を繰り返す（Ｓ１０２）。
【００２５】
比較手段１０において、差電圧ΔＶ４が所定の電圧値ΔＶより小さいと判断されたとき（Ｓ１０７でＹｅｓ）、第１の電極Ｅ１乃至第４の電極Ｅ４が正常に被測定体２に接触しているものとして、演算回路７は、電圧Ｖ４１と又は電圧Ｖ４２のいずれか一方を被測定体２のインピーダンスＺ５を求めるために用いる平滑電圧Ｖ４として確定する（Ｓ１０８）。ここで、平滑電圧Ｖ４の確定は、例えば、予めプログラムにより電圧Ｖ４１を平滑電圧Ｖ４としてもよいし、電圧Ｖ４１と電圧Ｖ４２のうち、数値の低い方を平滑電圧Ｖ４としてもよい。演算回路７は、確定した平滑電圧Ｖ４に基づいて被測定体２のインピーダンスＺ５を求め、インピーダンスＺ５から被測定体２の体脂肪量を算出する（Ｓ１０９）。報知回路８は、演算回路７が算出した体脂肪量を、例えば数値として表示画面に表示する（Ｓ１１０）。体脂肪測定装置１は、報知回路８が体脂肪量を報知すると体脂肪量の測定を終了する（Ｓ１１１）。
【００２６】
次に、いま、例えば、接触抵抗Ｚ２のみが他の接触抵抗Ｚに比べて大きい異常の場合の動作を図３を参照して説明する。図３は、差動増幅回路５に入力された電圧Ｖ１´及び電圧Ｖ２´と、平滑回路６が出力した電圧Ｖ４を示す。図３（ａ）は、第１の電流経路における電圧Ｖ１´及び電圧Ｖ２´を示す。図３（ｂ）は、第２の電流経路における電圧Ｖ１´及び電圧Ｖ２´を示す。図３（ｃ）は、平滑回路６が出力した電圧Ｖ４を示す。ここに、接触抵抗Ｚ１乃至接触抵抗Ｚ４が全て低いとき（正常時）の電圧Ｖ１´と電圧Ｖ２´を実線で示し、接触抵抗Ｚ２が大きいときの電圧Ｖ１´と電圧Ｖ２´を破線で示す。また、図３において、縦軸は電圧を示し、横軸は時間を示す。
【００２７】
図３（ａ）に示すように、第１の電流経路における電圧Ｖ１´及び電圧Ｖ２´は異常時に正常時より振幅が大きくなる。また、図３（ｂ）に示すように、第２の電流経路における、電圧Ｖ１´及び電圧Ｖ２´は正常時、異常時ともに同じになる。その結果、図３（ｃ）に示すように、平滑回路６が出力する第１の電流経路での電圧は電圧Ｖ４１となり、第２の電流経路での電圧は電圧Ｖ４２となる。電圧Ｖ４１と電圧Ｖ４２との差は、差電圧ΔＶ４となる。この差電圧Ｖ４が所定の電圧値ΔＶよりも小さければ、いずれかの電圧Ｖ４１又は電圧Ｖ４２若しくは、両者の平均をとったものを、電圧Ｖ４として確定すればよい。この電圧Ｖ４を基に、上述のようにして体脂肪量を算出することにより、改めて測定をしなおすことなく、信頼性の高い体脂肪量測定が可能となる。
【００２８】
次に、接触抵抗Ｚ３のみが他の接触抵抗Ｚに比べて大きい異常の場合の動作を図４を参照して説明する。図４は、差動増幅回路５に入力された電圧Ｖ１´及び電圧Ｖ２´と、平滑回路６が出力した電圧Ｖ４を示す。図４（ａ）は、第１の電流経路における電圧Ｖ１´及び電圧Ｖ２´を示す。図４（ｂ）は、第２の電流経路における電圧Ｖ１´及び電圧Ｖ２´を示す。図４（ｃ）は、平滑回路６が出力した電圧Ｖ４を示す。図４において、縦軸は電圧を示し、横軸は時間を示す。
【００２９】
図４（ａ）に示すように、第１の電流経路における電圧Ｖ１´は異常時に正常時より振幅が小さくなる。電圧Ｖ２´は正常時、異常時ともに同じになる。また、図４（ｂ）に示すように、第２の電流経路における電圧Ｖ１´は異常時に正常時より振幅が小さくなる。電圧Ｖ２´は正常時、異常時ともに同じになる。なお、正常時において、第１の電流経路での電圧Ｖ１´の振幅は、第２の電流経路での電圧Ｖ１´の振幅より大きくなる。
【００３０】
その結果、図４（ｃ）に示すように、平滑回路６が出力する第１の電流経路での電圧は電圧Ｖ４１となり、第２の電流経路での電圧は電圧Ｖ４２となる。ここで、正常時に平滑回路６が出力する電圧Ｖ４は、電圧Ｖ４１と電圧Ｖ４２との間の値となる。電圧Ｖ４１と電圧Ｖ４２との差電圧ΔＶ４が所定の電圧ΔＶより小さければ、これら電圧Ｖ４１と電圧Ｖ４２との中間値Ｖ４を用いて体脂肪量を算出する。これにより、体脂肪測定装置１は、第１の電極Ｅ１乃至第４の電極Ｅ４のいずれかが正しく被測定体２に接触配置されていない場合であっても、電圧Ｖ４１と電圧Ｖ４２の中間値Ｖ４に基づいて体脂肪量を算出することにより信頼性を高めることができる。
【００３１】
次に、本発明の第２の実施形態に係る体脂肪測定装置について、上述の図１に図５を加えて説明する。本実施形態においては、計測手段１は、体脂肪測定装置１が体脂肪量の測定を開始してから経過した体脂肪測定時間を計測する。演算回路７は、比較手段１０において、差電圧ΔＶ４が所定の電圧値ΔＶより小さくないと判断され、かつ、計測手段１１により計測された体脂肪測定時間が所定時間を経過したとき、体脂肪量を算出することを中止する。演算回路７が体脂肪量の算出を中止すると、報知回路８は、例えば、表示画面に測定異常である旨を表示する。
【００３２】
本実施形態に係る体脂肪測定装置１の動作フローを図５に示す。比較手段１０において、差電圧ΔＶ４が所定の電圧値ΔＶより小さくないと判断されたとき（Ｓ１０７でＮｏ）、演算回路７は、計測手段１１により計測された体脂肪測定時間が所定時間を経過したか否かを判断する（Ｓ２０１）。ステップＳ２０１において所定時間が経過していないとき（Ｓ２０１でＮｏ）、切替手段９は、再び、第１の電流経路となるように印加部４の出力側ラインＡを第１の電極Ｅ１に接続し、印加部４の反転入力側ラインＢを第２の電極Ｅ２に接続する。体脂肪測定装置１は、ステップＳ１０３からステップＳ１０９の動作を繰り返す（Ｓ１０２）。
【００３３】
ステップＳ２０１において所定時間が経過したとき（Ｓ２０１でＹｅｓ）、演算回路７は、これ以上ステップＳ１０２からステップＳ２０１の動作を繰り返しても差電圧ΔＶ４が所定の電圧値ΔＶより小さくならず、信頼性の高い体脂肪量を算出できないと判断して体脂肪量の算出を中止する（Ｓ２０２）。報知回路８は、演算回路７が体脂肪量の算出を中止すると、例えば、電極Ｅの接触配置が異常である旨を表示画面に表示する（Ｓ２０３）。これにより、体脂肪量測定装置１の使用者は、第１の電極Ｅ１乃至第４の電極Ｅ４が被測定体２に正しく接触配置されていないことを容易に知ることができる。
【００３４】
次に、本発明の第３の実施形態に係る体脂肪測定装置について、上述の図１に図６を加えて説明する。本実施形態においては、平均算出手段１２は、比較手段１０が所定の電圧値ΔＶより差電圧ΔＶ４の方が小さいと判断したとき、Ｖ４１とＶ４２との平均値を算出する。演算回路７は、平均算出手段１２が算出した平均値を平滑電圧Ｖ４として体脂肪量を算出する。その他の構成、動作は、上述の第２の実施形態と同様である。
【００３５】
本実施形態に係る体脂肪測定装置１の動作フローを図６に示す。ステップＳ１０７において、比較手段１０において、差電圧ΔＶ４が所定の電圧値ΔＶより小さいと判断されたとき（Ｓ１０７でＹｅｓ）、演算回路７は、平均算出手段１２が算出した電圧Ｖ４１とＶ４２との平均値を平滑電圧Ｖ４として確定する（Ｓ３０１）。演算回路７は、確定した平滑電圧Ｖ４から被測定体２の体脂肪量を算出する（Ｓ１０９）。報知回路８は体脂肪量を報知し（Ｓ１１０）、体脂肪測定装置１は体脂肪量の測定を終了する（Ｓ１１１）。これにより、体脂肪量測定装置１は、電圧Ｖ４１と電圧Ｖ４２との平均値を平滑電圧Ｖ４とすることにより、より信頼性の高い体脂肪量を算出することができる。
【００３６】
次に、本発明の第４の実施形態に係る体脂肪測定装置について、図７を参照して説明する。図７は、本発明の第４の実施形態に係る体脂肪測定装置１の回路構成を示す。本実施形態においては、切替手段９は、体脂肪測定装置１の回路の電圧検出側、すなわち第３の電極Ｅ３及び第４の電極Ｅ４と差動増幅回路５との間に取り付けられる。これにより、体脂肪測定装置１は、差動増幅回路５のオフセット電圧による誤差を除去することができるため、信頼性の高い体脂肪量を測定することができる。
【００３７】
なお、本発明は、上記各種実施形態の構成に限られず、発明の趣旨を変更しない範囲で種々の変形が可能である。例えば、上記実施形態においては、切替手段９によって電流の経路が切替えられる前後の電圧の差である差電圧と所定の電圧とを比較する比較手段１０を備えたものを示したが、電流経路切替え前後の電圧の平均を求めてインピーダンスを求める場合には、差電圧そのものを検出する必要はない。従って、そのようにして計測する構成においては、比較手段１０は必要でない。
また、例えば、報知回路８は、体脂肪量を数値として表示画面に表示する構成でなく、音声によって報知する構成であっても構わない。また、例えば、計測手段１１は、演算回路７に取り付けられる構成でなく、定電流発生回路３や差動増幅回路５に取り付けられる構成であっても構わない。
【図面の簡単な説明】
【００３８】
【図１】本発明の第１の実施形態に係る体脂肪測定装置の回路を示す構成図。
【図２】本発明の第１の実施形態に係る体脂肪測定装置１の動作フローチャート。
【図３】（ａ）（ｂ）（ｃ）はそれぞれ本発明の第１の実施形態に係る電圧の変化を示す説明図。
【図４】（ａ）（ｂ）（ｃ）はそれぞれ本発明の第１の実施形態に係る上述とは別の状態での電圧の変化を示す説明図。
【図５】本発明の第２の実施形態に係る体脂肪測定装置１の動作フローチャート。
【図６】本発明の第３の実施形態に係る体脂肪測定装置１の動作フローチャート。
【図７】本発明の第４の実施形態に係る体脂肪測定装置１の回路を示す構成図。
【図８】従来の体脂肪測定装置の構成図。
【符号の説明】
【００３９】
１  体脂肪測定装置
２  被測定体
３  定電流発生回路
４  印加部
５  差動増幅回路（検出部）
８  報知回路（報知部）
９  切替手段
１０  比較手段
１１  計測手段
１２  平均算出手段
Ｅ１  第１の電極
Ｅ２  第２の電極
Ｅ３  第３の電極
Ｅ４  第４の電極
Ｚ５  インピーダンス
【図１】
0004604983.tif 000002
【図２】
0004604983.tif 000003
【図３】
0004604983.tif 000004
【図４】
0004604983.tif 000005
【図５】
0004604983.tif 000006
【図６】
0004604983.tif 000007
【図７】
0004604983.tif 000008
【図８】
0004604983.tif 000009